【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
セシウムトラップを交換する方法であって、
内部にセシウムを少なくとも部分的に含有する第１のセシウムトラップを凍結させるステップであって、前記第１のセシウムトラップはシールドセル内に配置されている、ステップと、
前記第１のセシウムトラップを前記シールドセルから切り離すステップと、
前記第１のセシウムトラップを前記シールドセルから取り外すステップと、
第２のセシウムトラップを前記シールドセルに挿入するステップと、
前記第２のセシウムトラップを前記シールドセルに取り付けるステップと、
を含むことを特徴とする、方法。
【請求項２】
前記第１のセシウムトラップを前記シールドセルから切り離すステップは、
前記第１のセシウムトラップと前記シールドセルとの間に伸びる少なくとも１つの側方支持アンカーを遠隔的に切り離すステップと、
前記第１のセシウムトラップをナトリウム処理回路から遠隔的に切り離すステップと、
前記第１のセシウムトラップと前記シールドセルとの間に伸びる電力および機器制御付属装置を遠隔的に切り離すステップと、
のうちの少なくとも１つを含むことを特徴とする、請求項１に記載の方法。
【請求項３】
前記少なくとも１つの側方支持アンカーを遠隔的に切り離すステップは、前記シールドセルから伸びるセルアンカーを前記第１のセシウムトラップから伸びるトラップアンカーに結合する連結部材を取り外すステップを含む、請求項２に記載の方法。
【請求項４】
前記連結部材は、ピンおよびボルトのうちの少なくとも１つであることを特徴とする、請求項３に記載の方法。
【請求項５】
前記第１のセシウムトラップをナトリウム処理回路から遠隔的に切り離すステップは、
クリンプされた部分を作成するために、前記第１のセシウムトラップから伸びる少なくとも１つのナトリウムラインをクリンプするステップと、
前記少なくとも１つのナトリウムラインの第１の部分が前記第１のセシウムトラップの頂部から伸び、前記少なくとも１つのナトリウムラインの第２の部分が前記ナトリウム処理回路の一部のままであるように、前記クリンプされた部分に隣接して前記少なくとも１つのナトリウムラインを切断するステップと、
を含むことを特徴とする、請求項２に記載の方法。
【請求項６】
前記電力および機器制御付属装置を遠隔的に切り離すステップは、前記第１のセシウムトラップの頂部に配置された対応するレシーバから、前記電力および機器制御付属装置のうちの少なくとも１つのプラグを抜くステップを含むことを特徴とする、請求項２に記載の方法。
【請求項７】
前記第１のセシウムトラップを前記シールドセルから取り外すステップは、
前記第１のセシウムトラップをリフティングツールに取り外し可能に結合するステップと、
前記第１のセシウムトラップの基部が、前記シールドセルの基部から伸びる少なくとも１つの位置決めピンと摺動可能に係合解除するように、前記リフティングツールを介して前記第１のセシウムトラップを前記シールドセルから持ち上げるステップと、
を含むことを特徴とする、請求項１に記載の方法。
【請求項８】
前記持ち上げるステップの動作を介して、前記シールドセルから伸びる固定冷却ラインから、前記第１のセシウムトラップから伸びる入口冷却ラインを切り離すステップをさらに含む、請求項７に記載の方法。
【請求項９】
前記第１のセシウムトラップをリフティングツールに取り外し可能に結合するステップは、前記リフティングツールの少なくとも１つのフックを回転させ、前記第１のセシウムトラップ上に配置された対応するリフティングアイ内に持ち上げるステップを含むことを特徴とする、請求項７に記載の方法。
【請求項１０】
前記第２のセシウムトラップを前記シールドセルに挿入するステップは、
前記第２のセシウムトラップをリフティングツールに取り外し可能に結合するステップであって、前記リフティングツールは少なくとも１つのフックを含み、前記第２のセシウムトラップは少なくとも１つの対応するリフティングアイを含む、ステップと、
前記リフティングツールを介して、前記第２のセシウムトラップを前記シールドセル内に配置するステップと、
同時に、前記第２のセシウムトラップの基部を、前記シールドセルの底部から伸びる少なくとも１つの位置決めピンと位置合わせするステップと、
を含むことを特徴とする、請求項１に記載の方法。
【請求項１１】
摺動可能な係合を介して、前記第２のセシウムトラップから伸びる入口冷却ラインを、前記シールドセルから伸びる固定冷却ラインに結合するステップをさらに含むことを特徴とする、請求項１０に記載の方法。
【請求項１２】
前記第２のセシウムトラップを前記シールドセルに取り付けるステップは、
前記シールドセルから伸びるセルアンカーを、前記第２のセシウムトラップから伸びるトラップアンカーに結合し、前記第２のセシウムトラップと前記シールドセルとの間に伸びる少なくとも１つの側方支持アンカーを形成するステップと、
前記第２のセシウムトラップから伸びる少なくとも１つの第１のナトリウムラインを、ナトリウム処理回路から伸びる少なくとも１つの第２のナトリウムラインに溶接するステップと、
電力および機器制御付属装置を、前記第２のセシウムトラップの頂部に配置された対応するレシーバに前記電力および機器制御付属装置のプラグを差し込むことによって連結するステップと、
のうちの少なくとも１つを含むことを特徴とする、請求項１に記載の方法。
【請求項１３】
前記第１のセシウムトラップが所定量のセシウムを含み、前記第２のセシウムトラップがセシウムを含まないことを特徴とする、請求項１に記載の方法。
【請求項１４】
前記シールドセルが、個別のシールドセルであることを特徴とする、請求項１に記載の方法。
【請求項１５】
セシウムトラップであって、
頂部を含む本体であって、前記本体は、フィルタと、ナトリウム流からセシウムを除去するように構成されている活性物質と、を含む、本体と、
前記本体の実質的に周囲に配置された冷却ジャケットと、
前記頂部から伸びる少なくとも１つの第１のナトリウムラインであって、前記少なくとも１つの第１のナトリウムラインは、ナトリウム処理回路の対応する少なくとも１つの第２のナトリウムラインと流体連通して結合するように構成されている、ナトリウムラインと、
を含むことを特徴とする、セシウムトラップ。
【請求項１６】
前記冷却ジャケットから伸びる少なくとも１つのトラップアンカーをさらに含み、前記少なくとも１つのトラップアンカーは、少なくとも１つの側方支持アンカーを形成するように、シールドセルから伸びる少なくとも１つの対応するセルアンカーに取り外し可能に結合可能であることを特徴とする、請求項１５に記載のセシウムトラップ。
【請求項１７】
前記頂部に配置された少なくとも１つのリフティングアイをさらに含み、前記少なくとも１つのリフティングアイは、前記セシウムトラップをシールドセル内に配置するとともに前記セシウムトラップをシールドセルから取り外すためのリフティングツールを、受け入れるように構成されていることを特徴とする、請求項１５に記載のセシウムトラップ。
【請求項１８】
前記冷却ジャケットの底部から伸びる入口冷却ラインをさらに含み、前記入口冷却ラインは、シールドセル内の対応する固定冷却ラインに流体連通して取り外し可能に結合可能である自由端を有することを特徴とする、請求項１５に記載のセシウムトラップ。
【請求項１９】
前記頂部に配置された少なくとも１つのレシーバをさらに含み、電力および機器制御付属装置が、前記少なくとも１つのレシーバに取り外し可能にプラグを差し込むように構成されていることを特徴とする、請求項１５に記載のセシウムトラップ。
【請求項２０】
前記本体の底部に結合された基部をさらに含み、少なくとも１つの対応する位置決めピンを介してシールドセルの底部内に前記基部が位置決め可能であるように、前記基部内に少なくとも１つの開口部が画定されることを特徴とする、請求項１５に記載のセシウムトラップ。
【請求項２１】
セシウムトラップであって、
頂部を含む本体であって、前記本体は、フィルタと、セシウムおよびアルゴンを含有するナトリウム流からセシウムを除去するように構成されている活性物質と、を含む、本体と、
前記頂部から伸びる少なくとも１つの第１のナトリウムラインであって、前記少なくとも１つの第１のナトリウムラインは、ナトリウム処理回路の対応する少なくとも１つの第２のナトリウムラインと流体連通して結合するように構成されている、ナトリウムラインと、
を含み、
前記フィルタは、ナトリウムおよびアルゴンを通過させながら、前記活性物質が前記セシウムトラップから出るのを防ぐように配置され、前記フィルタは４０〜１６０μｍの平均孔径を有することを特徴とする、セシウムトラップ。
【請求項２２】
前記フィルタの前記平均孔径の下限が、４０、５０、６０、７０、８０、および９０μｍから選択されることを特徴とする、請求項２１に記載のセシウムトラップ。
【請求項２３】
前記フィルタの前記平均孔径の上限値が、１００、１１０、１２０、１３０、１４０、１５０、および１６０μｍから選択されることを特徴とする、請求項２１または２２に記載のセシウムトラップ。
【請求項２４】
前記フィルタが焼結金属フィルタであることを特徴とする請求項２１〜２３のいずれか１項に記載のセシウムトラップ。
【請求項２５】
前記焼結金属フィルタが、ステンレス鋼、Ｈａｓｔｅｌｌｏｙ（登録商標）、Ｍｏｎｅｌ（登録商標）、Ｉｎｃｏｎｅｌ（登録商標）、ニッケル、ＨＴ−９、およびチタンのうちの１つ以上から焼結されることを特徴とする、請求項２４に記載のセシウムトラップ。